【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
少なくとも１つの電子取引所に接続されるデバイス上で電子的に取引される商品に関係する市場情報を表示する電子取引方法であって、
前記少なくとも１つの電子取引所から、第１の商品を表す第１の市場データを受信するステップと、
前記少なくとも１つの電子取引所から、第２の商品を表す第２の市場データを受信するステップと、
スプレッドについて入手可能な最高ビッド価格及び最低アスク価格を、前記第１の市場データ及び前記第２の市場データに基づいて計算するステップと、
前記スプレッドについて入手可能な前記計算された最高ビッド価格に対応する第１の価格レベルに関する第１のインジケータを共通価格軸に沿って動的に表示するステップと、
前記スプレッドについて入手可能な前記計算された最低アスク価格に対応する第２の価格レベルに関する第２のインジケータを前記共通価格軸に沿って動的に表示するステップとを有することを特徴とする電子取引方法。
【請求項２】
前記第１のインジケータは、前記スプレッドについて入手可能な前記計算された最高ビッド価格が変化するとき、前記共通価格軸に沿って移動することを特徴とする請求項１に記載の電子取引方法。
【請求項３】
前記第２のインジケータは、前記スプレッドについて入手可能な前記計算された最低アスク価格が変化するとき、前記共通価格軸に沿って移動することを特徴とする請求項１に記載の電子取引方法。
【請求項４】
前記第１の価格レベル及び前記第２の価格レベルは、前記共通価格軸に表示され、前記スプレッドについて入手可能な前記計算された最高ビッド価格又は前記計算された最低アスク価格の変化に応答して移動しないことを特徴とする請求項１に記載の電子取引方法。
【請求項５】
前記共通価格軸は静的に表示されることを特徴とする請求項１に記載の電子取引方法。
【請求項６】
前記スプレッドについて入手可能な最高ビッド価格及び最低アスク価格を、前記第１の商品及び前記第２の商品の価格に基づいて計算するステップをさらに含むことを特徴とする請求項１に記載の電子取引方法。
【請求項７】
前記共通価格軸の一部を表示するステップをさらに含むことを特徴とする請求項６に記載の電子取引方法。
【請求項８】
前記スプレッドについて入手可能な前記最高ビッド価格に関するビッド数量、及び、前記スプレッドについて入手可能な前記最低アスク価格に関するアスク数量を計算するステップをさらに含むことを特徴とする請求項１に記載の電子取引方法。
【請求項９】
前記第１のインジケータは、前記スプレッドについて入手可能な前記最高ビッド価格に関する前記ビッド数量を表示し、前記第２のインジケータは、前記スプレッドについて入手可能な前記最低アスク価格に関する前記アスク数量を表示することを特徴とする請求項８に記載の電子取引方法。
【請求項１０】
前記最高ビッド価格及び前記最低アスク価格以外の価格レベルに関する複数の注文数量を計算するステップと、
価格レベルに関する複数のインジケータを前記共通価格軸に沿って動的に表示するステップとをさらに有し、
各インジケータは前記複数の注文数量の１つを表すことを特徴とする請求項１に記載の電子取引方法。
【請求項１１】
複数の価格レベルが、前記デバイスの表示画面上のウィンドウ内の前記共通価格軸に表示されることを特徴とする請求項１に記載の電子取引方法。
【請求項１２】
前記スプレッドのレグとして取引するために前記第１の商品及び前記第２の商品を選択するステップをさらに有することを特徴とする請求項１に記載の電子取引方法。
【請求項１３】
電子的に取引される商品についての注文の入力を容易にするための電子取引方法であって、前記注文は数量及び価格を有し、
前記数量を、第１の商品についての現在のポジションに基づいて公式を用いて自動的に計算するステップと、
第２の商品についての次の注文の数量パラメータを、前記計算された数量に自動的に設定するステップとを有することを特徴とする電子取引方法。
【請求項１４】
前記公式は比率を含むことを特徴とする請求項１３に記載の電子取引方法。
【請求項１５】
前記比率は、前記第１の商品に関する分子、及び前記第２の商品に関する分母を有することを特徴とする請求項１４に記載の電子取引方法。
【請求項１６】
前記数量を計算するステップにおいて、前記現在のポジションに前記比率を掛けることを特徴とする請求項１４に記載の電子取引方法。
【請求項１７】
前記第１の商品及び前記第２の商品はスプレッドのレグであり、前記公式はスプレッド比率を含むことを特徴とする請求項１３に記載の電子取引方法。
【請求項１８】
前記第２の商品についての注文を電子取引所に送信するステップをさらに含み、前記注文は前記設定された数量パラメータを含むことを特徴とする請求項１３に記載の電子取引方法。
【請求項１９】
前記注文を送信するステップは、ユーザ入力デバイスの単一のアクションに応答して行なわれることを特徴とする請求項１８に記載の電子取引方法。
【請求項２０】
前記第２の商品についての複数のビッド及びアスクを、価格軸上の価格レベル沿って表示するステップをさらに含むことを特徴とする請求項１９に記載の電子取引方法。
【請求項２１】
前記ユーザ入力デバイスの前記単一のアクションは、前記価格軸上の価格レベルに関するエリアを、前記ユーザ入力デバイスのポインタにより選択するステップを含むことを特徴とする請求項２０に記載の電子取引方法。
【請求項２２】
前記単一のアクションにより、注文についての価格パラメータを設定することを特徴とする請求項１９に記載の電子取引方法。
【請求項２３】
前記設定された数量パラメータに等しい注文数量値を含む、前記第２の商品についての注文を出すことを開始するステップをさらに含むことを特徴とする請求項１３に記載の電子取引方法。
【請求項２４】
注文を出すことを開始する前記ステップは、ユーザ入力デバイスの単一のアクションを通じて実施されることを特徴とする請求項２３に記載の電子取引方法。
【請求項２５】
前記第２の商品についてのビッド及びアスクを、価格軸上の価格レベルに沿って表示するステップをさらに含むことを特徴とする請求項２３に記載の電子取引方法。
【請求項２６】
前記注文を出すことを開始するステップは、前記価格軸上の価格レベルに関するエリア上に位置付けられたポインタによるユーザ・デバイスの単一のアクションを通じて実施されることを特徴とする請求項２５に記載の電子取引方法。
【請求項２７】
前記第１の商品についての前記現在のポジションが変化するとき、前記数量を自動的に再計算するステップをさらに含むことを特徴とする請求項１３に記載の電子取引方法。
【請求項２８】
前記第２の商品についての前記次の注文についての前記数量パラメータを、前記再計算された数量に設定するステップをさらに含むことを特徴とする請求項２７に記載の電子取引方法。
【請求項２９】
前記計算された数量がコンピュータ・デバイスの表示画面上に表示されることを特徴とする請求項１３に記載の電子取引方法。
【請求項３０】
前記現在のポジションは、前記第１の商品についてのトレーダーのネット・ポジションであることを特徴とする請求項１３に記載の電子取引方法。
【請求項３１】
前記第１の商品は前記スプレッドのアンカーレグであり、第２の商品は前記スプレッドの非アンカーレグであることを特徴とする請求項１３に記載の電子取引方法。
【請求項３２】
グラフィカル・ユーザ・インターフェイスを使用して、最高ビッド価格及び最低アスク価格を有する内部市場を有する電子取引所における市場で取引される商品に関係する市場情報を電子表示デバイス上で表示し、この商品の取引を容易にする電子取引方法であって、
前記市場において商品について入手可能な前記最高ビッド価格に対応する第１の価格レベルに関する第１のインジケータを共通価格軸に沿って動的に表示するステップと、
前記市場において商品について入手可能な最低アスク価格に対応する第２の価格レベルに関する第２のインジケータを共通価格軸に沿って動的に表示するステップと、
取引注文を送信するためのコマンドを受信するための複数の位置を含む注文入力領域を表示するステップと、
第３の価格レベルに関する価格レベル・インジケータを前記共通価格軸に沿って動的に表示するステップと、
ユーザ入力デバイスの単一のアクションによる前記注文入力領域の特定の位置の選択に応答して、前記商品に関する取引注文についての複数のパラメータを設定し、前記取引注文を前記電子取引所に送信するステップとを有し、
各位置は、前記共通価格軸に沿った価格レベルに対応し、
前記第３の価格レベルは、少なくとも１つの異なる商品の価格レベルに基づいて決まることを特徴とする電子取引方法。
【請求項３３】
前記第１のインジケータ及び前記第２のインジケータのうち少なくとも１つは、前記内部市場が変化するとき、前記共通価格軸に沿って移動することを特徴とする請求項３２に記載の電子取引方法。
【請求項３４】
前記共通価格軸に沿った前記価格レベルは、前記商品の前記内部市場における変化に応答して移動しないことを特徴とする請求項３２に記載の電子取引方法。
【請求項３５】
前記共通価格軸は静的であることを特徴とする請求項３２に記載の電子取引方法。
【請求項３６】
前記異なる商品の前記価格レベルの変化に応答して、前記価格レベル・インジケータを異なる価格レベルに、前記共通価格軸に沿って自動的に移動させるステップをさらに含むことを特徴とする請求項３２に記載の電子取引方法。
【請求項３７】
第４の価格レベルに関する第２の価格レベル・インジケータを前記共通価格軸に沿って動的に表示するステップをさらに含み、前記第４の価格レベルは、異なる商品の価格レベルに基づいて決まることを特徴とする請求項３２に記載の電子取引方法。
【請求項３８】
前記第３及び第４の価格レベルが、前記異なる商品についての所望の価格レベル、及び前記異なる商品についての決済価格と共に、所定のスプレッド比率及び所定のスプレッド価格ポイント値に基づいて決定されることを特徴とする請求項３７に記載の電子取引方法。
【請求項３９】
前記第３及び第４の価格レベルが、所定のスプレッド比率、所定のスプレッド価格ポイント値、前記異なる商品についての所望の価格レベル、及び前記異なる商品についての決済価格のうち２つ以上の因数に基づいて決定されることを特徴とする請求項３７に記載の電子取引方法。
【請求項４０】
前記共通価格軸に、前記価格レベルの少なくとも一部分が表示されることを特徴とする請求項３２に記載の電子取引方法。
【請求項４１】
複数の価格レベルを、それぞれの価格レベルで取引している量に基づいて区分けして表示するステップをさらに含むことを特徴とする請求項４０に記載の電子取引方法。
【請求項４２】
前記市場において前記異なる商品について入手可能な前記最高ビッド価格に対応する第１の価格レベルに関する第３のインジケータを第２の共通価格軸に沿って動的に表示するステップと、
前記市場において前記異なる商品について入手可能な前記最低アスク価格に対応する第２の価格レベルに関する第４のインジケータを前記第２の共通価格軸に沿って動的に表示するステップと、
第３の価格レベルに関する第２の価格レベル・インジケータを前記第２の共通価格軸に沿って表示するステップであって、前記第２の共通価格軸に沿った前記第３の価格レベルは、前記異なる商品の所望の価格レベルを表すステップとをさらに含むことを特徴とする請求項３２に記載の電子取引方法。
【請求項４３】
前記第１及び第２の価格レベル・インジケータは同じ色であることを特徴とする請求項４２に記載の電子取引方法。
【請求項４４】
前記異なる商品はアンカー商品であり、前記商品は非アンカー商品であることを特徴とする請求項４２に記載の電子取引方法。
【請求項４５】
前記第１のインジケータがビッド表示領域における複数の位置のうち１つに表示され、前記ビッド表示領域における各位置は、前記共通価格軸に沿った価格レベルに対応し、前記第２のインジケータがアスク表示領域における複数の位置のうち１つに表示され、前記アスク表示領域における各位置は、前記共通価格軸に沿った価格レベルに対応することを特徴とする請求項３２に記載の電子取引方法。
【請求項４６】
前記価格レベル・インジケータが、前記ビッド表示領域における位置との対応において表示されることを特徴とする請求項４５に記載の電子取引方法。
【請求項４７】
前記価格レベル・インジケータが、前記アスク表示領域における位置との対応において表示されることを特徴とする請求項４５に記載の電子取引方法。
【請求項４８】
異なる商品の前記価格レベルは所望の価格レベルであることを特徴とする請求項３２に記載の電子取引方法。
【請求項４９】
前記異なる商品の前記所望の価格レベルは、前記市場における前記異なる商品についての最良のビッド又はアスク価格であることを特徴とする請求項４８に記載の電子取引方法。
【請求項５０】
前記異なる商品の前記所望の価格レベルは、そこで現在ユーザについての作業中注文がある、前記異なる商品についての最良のビッド又はアスク価格であることを特徴とする請求項４８に記載の電子取引方法。
【請求項５１】
前記異なる商品の前記所望の価格レベルは、ユーザによって選択された価格であることを特徴とする請求項４８に記載の電子取引方法。
【請求項５２】
前記異なる商品の前記所望の価格レベルは、前記異なる商品の、ユーザにヘッジされていない履行済注文の価格レベルの重み付けされた平均であることを特徴とする請求項４８に記載の電子取引方法。
【請求項５３】
前記価格レベル・インジケータはスプレッド比率に基づいて決定されることを特徴とする請求項３２に記載の電子取引方法。